【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
情報を含むドキュメントに対して実行される少なくとも、ドキュメントをリトリーブするアクション、ドキュメントを開くアクション、ドキュメントを保存するアクション、ドキュメントをファイルするアクション、ドキュメントを編集するアクション、ドキュメントを削除するアクション、ドキュメントを転送するアクション、及び、ドキュメントをブックマークするアクション、の一以上を含むアクションに応じて該情報を取得し、該情報のコンテクストに基づいて、既アクセスのドキュメントのうち関連する既アクセスのコンテンツ情報を判断し、
関連すると判断された既アクセスの前記コンテンツ情報に関する情報をユーザに示す、
コンテンツ情報を処理する方法。
【請求項２】
ユーザに示すことは、少なくとも通知特性を活性化することを含み、
該通知特性は、判断された関連する前記コンテンツ情報の可用性を示す、
請求項１に記載のコンテンツ情報を処理する方法。
【請求項３】
既アクセスのコンテンツ情報のグループに含まれるように、前記ドキュメントの情報を処理することをさらに含む、請求項１に記載のコンテンツ情報を処理する方法。
【請求項４】
前記ドキュメントの情報を処理することは、前記ドキュメントから該情報を抽出することを含む、請求項３に記載のコンテンツ情報を処理する方法。
【請求項５】
情報を処理することは、媒体記憶装置に抽出された該情報を出力することをさらに含む、請求項４に記載のコンテンツ情報を処理する方法。
【請求項６】
前記媒体記憶装置に抽出した情報を出力することは、該媒体記憶装置に抽出した該情報を周期的に出力することを含む、請求項５に記載のコンテンツ情報を処理する方法。
【請求項７】
前記情報はテキスト情報であり、
情報を処理することは、抽出された情報をテキスト表現方式に変換すること、をさらに含む、
請求項５に記載のコンテンツ情報を処理する方法。
【請求項８】
情報を処理することは、変換された情報と既アクセス・コンテンツとの類似性を定量化する、少なくとも一つの類似性スコアを判断すること、をさらに含む、請求項７に記載のコンテンツ情報を処理する方法。
【請求項９】
関連するコンテンツ情報は、少なくともコンピュータ・アプリケーション・ドキュメント、テキスト・メッセージ、ｅメール・メッセージ、カレンダ・エントリまたはウェブ・ページの一部である、請求項１に記載のコンテンツ情報を処理する方法。
【請求項１０】
関連するコンテンツ情報は、少なくとも、ページ全体、一頁の中に含まれる個々のテキスト文字、ワード、句、テキスト行、文、段落、テキストの段、テキストのブロック、テキスト記事、複数頁ドキュメント、単一頁ドキュメントの集合体、及び複数頁ドキュメントの集合体、を含むリストから選択される、請求項１に記載のコンテンツ情報を処理する方法。
【請求項１１】
示すことは、関連するコンテンツ情報のダイジェスト・ドキュメントを生成すること、を含む、請求項１に記載のコンテンツ情報を処理する方法。
【請求項１２】
情報を含むドキュメントになされるアクションに応じて、及び、該情報のコンテクストに基づいて、関連する既アクセスのコンテンツ情報を判断し、
判断された関連する前記コンテンツ情報をユーザに示す、
ことを、プロセッサにより実行された場合に、該プロセッサに実施させる、コンテンツ情報を処理するプログラム。
【請求項１３】
メモリと、
制御装置と、
を備え、
該制御装置は、
情報を含むドキュメントに対して実行される少なくとも、ドキュメントをリトリーブするアクション、ドキュメントを開くアクション、ドキュメントを保存するアクション、ドキュメントをファイルするアクション、ドキュメントを編集するアクション、ドキュメントを削除するアクション、ドキュメントを転送するアクション、及び、ドキュメントをブックマークするアクション、の一以上を含むアクションに応じて該情報を取得し、該情報のコンテクストに基づいて、既アクセスのドキュメントのうち既アクセスのコンテンツ情報を判断し、
関連すると判断された既アクセスの前記コンテンツ情報に関する情報をユーザに示す、
コンテンツ情報を処理するシステム。
【請求項１４】
ユーザに示すことは、少なくとも通知特性を活性化することを含み、
該通知特性は、判断された関連する前記コンテンツ情報の可用性を示す、
請求項１３に記載のコンテンツ情報を処理するシステム。
【請求項１５】
クライアント・モジュール及びサーバ・モジュールをさらに備える、請求項１３に記載のコンテンツ情報を処理するシステム。
【請求項１６】
少なくとも前記クライアント・モジュールは、情報を含む前記ドキュメントにアクセスするために使用されるアプリケーションに埋め込まれている、請求項１５に記載のコンテンツ情報を処理するシステム。
【請求項１７】
既アクセスのコンテンツ情報のグループに含まれるように、前記ドキュメントの情報を処理することをさらに含む、請求項１３に記載のコンテンツ情報を処理するシステム。
１８
【請求項１８】
前記ドキュメントの情報を処理することは、前記ドキュメントから該情報を抽出することを含む、請求項１７に記載のコンテンツ情報を処理するシステム。
【請求項１９】
情報を処理することは、媒体記憶装置に抽出された該情報を出力することをさらに含む、請求項１８に記載のコンテンツ情報を処理するシステム。
【請求項２０】
前記媒体記憶装置に抽出した情報を出力することは、該媒体記憶装置に抽出した該情報を周期的に出力することを含む、請求項１９に記載のコンテンツ情報を処理するシステム。
【請求項２１】
前記情報はテキスト情報であり、
情報を処理することは、抽出された情報をテキスト表現方式に変換すること、をさらに含む、
請求項１９に記載のコンテンツ情報を処理するシステム。
【請求項２２】
情報を処理することは、変換された情報と既アクセス・コンテンツとの類似性を定量化する、少なくとも一つの類似性スコアを判断すること、をさらに含む、請求項２１に記載のコンテンツ情報を処理するシステム。
【請求項２３】
関連するコンテンツ情報は、少なくともコンピュータ・アプリケーション・ドキュメント、テキスト・メッセージ、ｅメール・メッセージ、カレンダ・エントリまたはウェブ・ページの一部である、請求項１３に記載のコンテンツ情報を処理するシステム。
【請求項２４】
関連するコンテンツ情報は、少なくとも、ページ全体、一頁の中に含まれる個々のテキスト文字、ワード、句、テキスト行、文、段落、テキストの段、テキストのブロック、テキスト記事、複数頁ドキュメント、単一頁ドキュメントの集合体、及び複数頁ドキュメントの集合体、を含むリストから選択される、請求項１３に記載のコンテンツ情報を処理するシステム。
【請求項２５】
示すことは、関連するコンテンツ情報のダイジェスト・ドキュメントを生成すること、を含む、請求項１３に記載のコンテンツ情報を処理するシステム。
【請求項２６】
関連するコンテンツ情報の焦点要約を生成すること、をさらに含む、請求項２５に記載のコンテンツ情報を処理するシステム。
【請求項２７】
一以上の既アクセス・ドキュメントからテキストを抽出し、
抽出した該テキストをサーバ・モジュールに先行送信し、
前記サーバ・モジュールから受信した応答に基づいて、該サーバ・モジュールにより判断された関連するコンテンツ情報をユーザに先行通知する、
ことを、クライアント・モジュールのプロセッサにより実行された場合に、該プロセッサに実施させる、コンテンツ情報を処理するプログラム。
【請求項２８】
クライアント・モジュールにより出力された現在表示されているテキストをデータ記憶媒体に記憶し、
現在表示されている前記テキストのインデックスを生成し、
ユーザの現在のコンテクストに密接に関連する既アクセス・コンテンツを判断するために、前記インデックスを検索する、
ことを、サーバ・モジュールのプロセッサにより実行された場合に、該プロセッサに実施させる、コンテンツ情報を処理するプログラム。
【手続補正２】
【補正対象書類名】明細書
【補正対象項目名】００２１
【補正方法】変更
【補正の内容】
【００２１】
本発明の第１の態様のコンテンツ情報を処理する方法は、情報を含むドキュメントに対して実行される少なくとも、ドキュメントをリトリーブするアクション、ドキュメントを開くアクション、ドキュメントを保存するアクション、ドキュメントをファイルするアクション、ドキュメントを編集するアクション、ドキュメントを削除するアクション、ドキュメントを転送するアクション、及び、ドキュメントをブックマークするアクション、の一以上を含むアクションに応じて該情報を取得し、該情報のコンテクストに基づいて、既アクセスのドキュメントのうち関連する既アクセスのコンテンツ情報を判断し、
関連すると判断された既アクセスの前記コンテンツ情報に関する情報をユーザに示す。
【手続補正３】
【補正対象書類名】明細書
【補正対象項目名】００４０
【補正方法】変更
【補正の内容】
【００４０】
本発明の第２０の態様は、コンテンツ情報を処理するプログラムであって、情報を含むドキュメントに対して実行される少なくとも、ドキュメントをリトリーブするアクション、ドキュメントを開くアクション、ドキュメントを保存するアクション、ドキュメントをファイルするアクション、ドキュメントを編集するアクション、ドキュメントを削除するアクション、ドキュメントを転送するアクション、及び、ドキュメントをブックマークするアクション、の一以上を含むアクションに応じて該情報を取得し、該情報のコンテクストに基づいて、既アクセスのドキュメントのうち関連する既アクセスのコンテンツ情報を判断し、関連すると判断された既アクセスの前記コンテンツ情報に関する情報をユーザに示す、ことを、プロセッサにより実行された場合に、該プロセッサに実施させる、コンテンツ情報を処理するプログラムである。
【手続補正４】
【補正対象書類名】明細書
【補正対象項目名】００５９
【補正方法】変更
【補正の内容】
【００５９】
本発明の第３９の態様は、コンテンツ情報を処理するシステムであって、メモリと、制御装置と、を備え、該制御装置は、情報を含むドキュメントに対して実行される少なくとも、ドキュメントをリトリーブするアクション、ドキュメントを開くアクション、ドキュメントを保存するアクション、ドキュメントをファイルするアクション、ドキュメントを編集するアクション、ドキュメントを削除するアクション、ドキュメントを転送するアクション、及び、ドキュメントをブックマークするアクション、の一以上を含むアクションに応じて該情報を取得し、該情報のコンテクストに基づいて、既アクセスのドキュメントのうち関連する既アクセスのコンテンツ情報を判断し、関連すると判断された既アクセスの前記コンテンツ情報に関する情報をユーザに示す。